(57)【要約】　　　（修正有）【課題】信号処理装置に対する電源が停止した場合でも、制御用コンピュータの動作を停止させないようにするとともに、製造が煩雑になることなくコンパクトに構成される信号処理装置を提供する。【解決手段】映像記録再生装置２０にバックアップ回路１を設ける。バックアップ回路１を、外部信号端子５及び信号処理回路６の間で信号を伝送する信号ライン２と、マイクロコンピュータ７に動作電圧を供給する電源ライン３との間に設ける。そして、補助電源３０を、マイクロコンピュータ７を動作させる直流電圧を直流出力端子３２より出力するとともに、端子３２を外部信号端子５に接続できるように構成する。そして、映像記録再生装置２０の電源プラグ１２への電力の供給が停止される場合に、補助電源３０を映像記録再生装置２０の外部信号端子５に接続することにより、マイクロコンピュータ７を動作させるようにする。【選択図】　図３
2004133571.tif 000002
【特許請求の範囲】
【請求項１】
信号を入力及び／又は出力するための外部信号端子と、信号を処理する信号処理回路と、前記外部信号端子と前記信号処理回路との間で信号を伝送するための信号ラインと、制御用コンピュータと、該制御用コンピュータに接続され制御用コンピュータを動作させる直流電圧を供給する電源ラインとを備える信号処理装置であって、
前記信号ラインと電源ラインとに接続されたバックアップ回路を備えてなり、前記外部信号端子に接続できるように形成された直流出力端子を有するとともに該直流出力端子より前記制御用コンピュータを動作させる直流電圧を出力する補助電源を用い、該補助電源の前記直流出力端子を前記外部信号端子に接続することによって、前記制御用コンピュータに直流電圧が供給されるように構成された信号処理装置。
【請求項２】
前記バックアップ回路が接続される前記信号ラインの部分が、前記外部信号端子の近傍の基端部分である請求項１に記載の信号処理装置。
【請求項３】
前記バックアップ回路に、前記信号ライン側から前記電源ライン側に向かう方向が順方向となるように接続されたダイオードが設けられている請求項１又は２に記載の信号処理装置。
【請求項４】
補助電源であって、
信号を入力及び／又は出力するための外部信号端子と、信号を処理する信号処理回路と、前記外部信号端子と前記信号処理回路との間で信号を伝送するための信号ラインと、制御用コンピュータと、該制御用コンピュータに接続され該制御用コンピュータを動作させる直流電圧を供給する電源ラインと、前記信号ラインと電源ラインに接続されたバックアップ回路とを備える信号処理装置に対して用いられ、
前記信号処理装置の外部信号端子に接続できるように形成された直流出力端子を有するとともに該直流出力端子より前記制御用コンピュータを動作させる直流電圧を出力し、前記直流出力端子を前記外部信号端子に接続することにより、前記信号処理装置の制御用コンピュータに直流電圧を供給する補助電源。
【請求項５】
信号を入力及び／又は出力するための外部信号端子と、信号を処理する信号処理回路と、前記外部信号端子と前記信号処理回路との間で信号を伝送するための信号ラインと、制御用コンピュータと、該制御用コンピュータに接続され該制御用コンピュータを動作させる直流電圧を供給する電源ラインと、前記信号ラインと電源ラインに接続されたバックアップ回路とを備える信号処理装置と、
前記外部信号端子に接続できるように形成された直流出力端子を有するとともに該直流出力端子より前記制御用コンピュータを動作させる直流電圧を出力する補助電源とを有し、
前記補助電源の直流出力端子を前記信号処理装置の外部信号端子に接続することにより、前記補助電源より出力された直流電圧が前記信号ライン、バックアップ回路及び電源ラインを通って前記制御用コンピュータに供給される信号処理装置のセット。
【発明の詳細な説明】
【０００１】
【発明の属する技術分野】
本発明は、信号処理回路と制御用コンピュータを備える信号処理装置等に関する。
【０００２】
【従来の技術】
信号処理装置には、信号を処理するための信号処理回路、及び動作を制御するための制御用コンピュータが設けられている。そして、制御用コンピュータは、信号処理装置の各部の動作の状態に関するデータを読み込み、前記データに基づいて信号処理装置を制御する。
【０００３】
【発明が解決しようとする課題】
上記信号処理装置を動作させている最中に、装置の電源スイッチをオフすることなく、何らかの原因で突然に電源が停止され電力の供給が停止されると、制御用コンピュータを突然停止させることになる。
【０００４】
そして、制御用コンピュータを突然停止させると、制御用コンピュータがそれまで処理していた各種のデータが失われ、信号処理装置を管理する上で重要なデータを失う場合がある。
【０００５】
ここで、制御用コンピュータに対するバックアップ用電源やバックアップ用メモリを設けることが考えられる。これにより、電源が停止した場合でも、制御用コンピュータを継続して動作させ、また処理中のデータを保存することにより、処理中のデータを失うことを防ぐことができる。
【０００６】
しかし、バックアップ用電源を設ける場合であれば、電源の停止後に一定時間のバックアップを行えるように一定容量以上のコンデンサを備えなければならない等、一定の条件を満たすよう調整しなければならない。
【０００７】
また、上記バックアップ用電源を設ける場合及びバックアップ用メモリを設ける場合のいずれについても、これらを設けるためのスペースが必要であり、装置のコンパクト化を妨げる原因となる。
【０００８】
そこで、本発明は、電源が停止した場合に制御用コンピュータを停止させることなく、かつ余分なスペースを設けることなくコンパクトにすることができる信号処理装置等を提供することを目的とする。
【０００９】
【課題を解決するための手段】
上記課題を解決するため、本発明は、信号を入力及び／又は出力するための外部信号端子と、信号を処理する信号処理回路と、前記外部信号端子と前記信号処理回路との間で信号を伝送するための信号ラインと、制御用コンピュータと、該制御用コンピュータに接続され制御用コンピュータを動作させる直流電圧を供給する電源ラインとを備える信号処理装置であって、
前記信号ラインと電源ラインとに接続されたバックアップ回路を備えてなり、
前記外部信号端子に接続できるように形成された直流出力端子を有するとともに該直流出力端子より前記制御用コンピュータを動作させる直流電圧を出力する補助電源を用い、該補助電源の前記直流出力端子を前記外部信号端子に接続することによって、前記制御用コンピュータに直流電圧が供給されるように構成された信号処理装置である（請求項１）。
【００１０】
本発明の信号処理装置によると、信号処理装置の電源が停止した場合でも、前記補助電源によって制御用コンピュータに動作電圧を供給することにより、制御用コンピュータを停止させることなく動作させることができる。これにより、制御用コンピュータが信号処理装置を管理する上で必要なデータを失うことを防ぐことができる。
【００１１】
そして、本発明によると、信号処理装置にバックアップ用電源やバックアップ用メモリを設ける必要がないので、信号処理装置の製造を簡易にできるとともに、信号処理装置をコンパクトにすることができる。
【００１２】
また、信号処理装置に前記バックアップ回路を設けるにあたり、前記信号ラインに接続される部分を、前記外部信号端子の近傍の基端部分とすることができる（請求項２）。これにより、前記補助電源より外部信号端子に印加された電圧を信号ラインにおいて低下させることなく同一の電位に保持して、バックアップ回路に伝達することができ好ましい。
【００１３】
また、前記バックアップ回路に、前記信号ライン側から前記電源ライン側に向かう方向が順方向となるように接続されたダイオードを設けることができる（請求項３）。これにより、前記ダイオードを設けることによって、電源ラインより信号ラインに直流電圧が印加されることを防ぐことができ好ましい。
【００１４】
また、本発明は、前記外部信号端子を備える信号処理装置に対して用いられ、前記信号処理装置の外部信号端子に接続できるように形成された直流出力端子を有するとともに該直流出力端子より前記信号処理装置の制御用コンピュータを動作させる直流電圧を出力し、前記直流出力端子を前記信号処理装置の外部信号端子に接続することにより、前記制御用コンピュータに直流電圧を供給する補助電源である（請求項４）。
【００１５】
この発明の補助電源によると、前記信号処理装置の電源が停止した場合に、制御用コンピュータに動作電圧を供給することができ、制御用コンピュータを停止させることなく続けて動作させることができる。
【００１６】
また、前記信号処理装置と前記補助電源とを組み合わせることによって、信号処理装置のセットを構成することができる（請求項５）。
【００１７】
【発明の実施の形態】
以下、図１乃至図３に基づき、本発明の実施の形態について説明する。図１は、本発明にかかる信号処理装置の一実施形態である映像記録再生装置２０の構成の概略を示すブロック図である。映像記録再生装置２０は、外部信号端子５と信号ライン２と信号処理回路６とマイクロコンピュータ７と電源ライン３を備えている。
【００１８】
外部信号端子５は、映像信号や音声信号を映像記録再生装置２０に入力するための端子である。この外部信号端子５として、例えば信号の入出力が可能なＲＣＡジャックのメス側を設けることができる。
【００１９】
信号ライン２は、信号処理回路６の信号を入力するための端子６ａと外部端子５とに接続されている。そして、外部信号端子５に入力された映像信号等は信号ライン２を伝送され、信号処理回路６に入力される。
【００２０】
信号ライン２には、抵抗８及びコンデンサ９が直列に接続されている。抵抗８により、信号ライン２より信号処理回路６に入力する信号のレベルを調節することができる。
【００２１】
コンデンサ９は、信号処理回路６の端子６ａの直前に設けられている。コンデンサ９により、信号ライン２を伝送された高周波の信号を信号処理回路６側にバイパスさせるとともに、信号ライン２に信号とともに直流成分が混入した場合に、この直流成分をカットすることができる。
【００２２】
信号処理回路６は、Ｙ／Ｃ回路やクロマＩＣ等の映像信号を処理するための回路や、音声信号を処理する回路を備えている。信号処理回路６により処理された信号は、さらに図示されないテレビモニタ等のブロックへ出力される。
【００２３】
マイクロコンピュータ７は、映像記録再生装置２０の動作の制御を行う。マイクロコンピュータ７は、特に図示しないＲＯＭ（読み出し専用メモリ）やＲＡＭ（読み書き可能メモリ）を内蔵している。また、マイクロコンピュータ７には、図示されないＥＥＰＲＯＭ等の外部メモリが接続されている。
【００２４】
また、マイクロコンピュータ７は、交流電源検知端子７ａと接地端子７ｂと動作電圧端子７ｃを備えている。交流電源検知端子７ａには、停電・復電検知ユニット１１より停電検知信号又は電源復帰信号が入力される。停電・復電検知ユニット１１は、この信号処理装置２０に電力を入力するための電源プラグ１２に対して交流電源より電力が供給されている状況の検知を行う。
【００２５】
停電・復電検知ユニット１１は、電源プラグ１２に対して交流電源より電力の供給が停止された状態になると、停電検知信号を出力する。また、停電・復電検知ユニット１１は、電源プラグ１２に対して交流電源より電力の供給が復帰すると、復電信号を出力する。
【００２６】
そして、マイクロコンピュータ７は、停電・復電検知ユニット１１より停電検知信号及び復電検知信号が交流電源検知端子７ａに入力されることによって、電源プラグ１２に対する電力の供給が停止され、又は電力の供給が復帰されたことを検知する。
【００２７】
接地端子７ｂは接地されている。マイクロコンピュータ７は、接地端子７ｂを介して電位の基準となる接地を与えられる。
【００２８】
動作電圧端子７ｃには、電源ライン３が接続される。そして、マイクロコンピュータ７は、電源ライン３より動作電圧端子７ｃに所定の電圧値の直流電力を供給されて動作する。
【００２９】
電源ライン３には、電力変換器１４の出力側より直流電圧が入力される。電力変換器１４は、入力側が電源プラグ１２に接続されており、電源プラグ１２を介して交流電源より交流電力を供給される。
【００３０】
電力変換器１４は、入力された交流電力を所定の電圧値の直流電力に変換して出力する。電力変換器１４は、マイクロコンピュータ７を動作させるための電圧として６Ｖの直流電圧を出力側に出力する。
【００３１】
電源ライン３には、電力変換器１４よりマイクロコンピュータ７の動作電圧端子７ｃに向かう方向を順方向とするダイオード１５が直列に接続されている。このダイオード１５は、マイクロコンピュータ７の動作電圧端子７ｃに負電圧が印加されないよう保護している。
【００３２】
また、ダイオード１５により、交流電源の電力の供給が停止した場合に、マイクロコンピュータ７に対する動作電圧が電力変換回路１４に逆流することを防ぐことができる。
【００３３】
また、電源ライン３には、接地との間にコンデンサ１６が接続されている。このコンデンサ１６は、電源ライン３の直流電圧のレベルを低下させないように設けられている。このコンデンサ１６として、電解コンデンサを設けるのが好ましい。電解コンデンサは比較的に容量が大きく、電圧を保持する能力に優れるからである。
【００３４】
また、信号処理装置２０には、バックアップ回路１が設けられている。バックアップ回路１は、信号ライン２と電源ライン３との間に設けられている。即ち、バックアップ回路１は、その一方の端部が信号ライン２に接続され、他方の端部が電源ライン３に接続されている。
【００３５】
また、バックアップ回路１には、抵抗１７及びダイオード１８が直列に接続されている。抵抗１７は、後に説明するようにバックアップ回路１を介してマイクロコンピュータ７に動作電圧を供給するにあたり、電流値を調節するために設けられている。
【００３６】
抵抗１７により電流を調節して制限することにより、回路を保護することができる。抵抗１７を設けることにより、例えば、後に説明する補助電源３０を接続したときの突入電流を抑えることができ、外部信号端子５に過大な入力が生じた場合の内部回路の破壊や発火を防ぐことができる。
【００３７】
なお、抵抗１７をバックアップ回路１に設ける代わりに、信号ライン２の基端部分に設けることもできる。即ち、抵抗１７を、バックアップ回路１に設けず、信号ライン２におけるバックアップ回路１が接続される部位と外部信号端子５との間に設けることもできる。
【００３８】
そして、抵抗１７を信号ライン２の基端部分に設けても、バックアップ回路１により電源ライン３に電圧を伝達するにあたり、外部信号端子５に印加された電圧を低下させることなく、そのままバックアップ回路１に伝達することができる。
【００３９】
ダイオード１８は、信号ライン２から電源ライン３に向かう方向を順方向として接続されている。このダイオード１８を設けることにより、電源ライン３の直流電圧が信号ライン２に印加されることを防ぐことができ、好ましい。
【００４０】
このバックアップ回路１を設けるにあたり、その一方の端部を信号ライン２の基端部分に接続するのが好ましい。即ち、バックアップ回路１の一方の端部を、信号ライン２における外部端子５の近傍であり、信号処理上の機能を発揮するための抵抗８やコンデンサ９が設けられる部位よりも外部信号端子５側の部位に接続するのが好ましい。
【００４１】
これにより、外部信号端子５に印加された電圧を、信号ライン２において低下させることなく同一の電位を保持し、そのままバックアップ回路１に伝達できるからである。
【００４２】
この映像記録再生装置２０は、映像信号や音声信号が入力されると、以下のように動作する。映像信号や音声信号を出力する信号源に接続される図示されない信号ケーブルを外部信号端子５に接続すると、この信号ケーブルより外部信号端子５に映像信号や音声信号が入力される。
【００４３】
外部信号端子５に入力された映像信号等は、信号ライン２を通って信号処理回路６に入力される。そして、入力された信号が信号処理回路６で処理された後に、図示されないテレビモニタに映像等が出力され、また図示されない記録媒体に映像等が記録される。
【００４４】
また、映像記録再生装置２０が映像信号や音声信号を処理するにあたり、マイクロコンピュータ７によって動作が制御される。
【００４５】
次に、補助電源について説明する。図２は、本発明の補助電源の一実施形態である補助電源３０を示している。補助電源３０は、直流ユニット３１と直流出力端子３２を備えている。
【００４６】
直流ユニット３１は、マイクロコンピュータ７を動作させる直流電力を出力する能力を備えている。そして、直流ユニット３１の直流電圧は直流出力端子３２より出力される。
【００４７】
直流出力端子３２は、映像記録再生装置２０の外部信号端子５に接続できるように形成されている。この直流出力端子３２は、例えば映像記録再生装置２０の外部信号端子５にＲＣＡジャックのメス側が設けられる場合には、ＲＣＡジャックのオス側が設けられる。なお、直流出力端子３２は、前記ＲＣＡジャックによるもの以外にも、映像記録再生装置２０の外部信号端子５に接続できるように形成されていればよい。
【００４８】
この補助電源３０において、直流ユニット３１は、図２に示されるように通常の電池をセットして所要の電圧値を出力するようにしたものにより構成することができる。また、直流ユニット３１を、充電式電池により構成することもできる。
【００４９】
また、直流ユニット３１を、交流電圧を所定の電圧値の直流電圧に変換するユニットを備え、交流電源に接続すると所定の直流電圧を出力するものにより構成することもできる。
【００５０】
以上に説明した映像記録再生装置２０と補助電源３０との組み合わせは、信号処理装置と補助電源との組み合わせにより構成される信号処理装置のセットの一例にあたる。
【００５１】
以上に説明した映像記録再生装置２０及び補助電源３０を使用する例について説明する。映像記録再生装置２０の電源プラグ１２を交流電源に接続するとともに、図示されない電源スイッチをオン（ＯＮ）することにより、映像記録再生装置２０を動作させる。
【００５２】
そして、映像記録再生装置２０を操作し、記録媒体に記録されている映像等をテレビモニタに再生させるように動作させる。この映像等の再生を開始した時間や、再生を開始してからの現在時間、映像等を再生している記録媒体を管理するための各種の情報等は、マイクロコンピュータ７において適宜に処理されている。
【００５３】
ここで、映像記録再生装置２０を動作させている最中に、電源プラグ１２が接続されている交流電源の電力の供給が停止される場合や、電源プラグ１２を交流電源より取り外さなければならない場合を生じ得る。
【００５４】
そして、この電源の停止を生ずる場合に、映像記録再生装置２０に補助電源３０を接続する。即ち、図３に示されるように、補助電源３０の直流出力端子３２を映像記録再生装置２０の外部信号端子５に接続する。
【００５５】
これにより、補助電源３０の直流出力端子３２より出力された直流電圧は、外部信号端子５に入力され、信号ライン２とバックアップ回路１と電源ライン３を通ってマイクロコンピュータ７の動作電圧端子７ｃに入力される。
【００５６】
これにより、映像記録再生装置２０に対する電源が停止されても、マイクロコンピュータ７に動作電圧を供給してマイクロコンピュータを継続して動作させることができる。これにより、マイクロコンピュータ７が処理していた映像記録再生装置２０を管理するためのデータを失うことを防ぐことができる。
【００５７】
また、以下に説明するように、映像記録再生装置２０の耐久試験を行う場合に、補助電源３０を用いることができる。映像記録再生装置２０の耐久試験として、記録媒体に記録されている映像等を一定の時間連続して再生させ、画質等の劣化を確認する試験がある。この耐久試験を行う場合、映像等の再生を開始してから現在までに経過した時間は、マイクロコンピュータ７によって計数される。
【００５８】
この耐久試験を行っている途中で映像記録再生装置２０の場所を移動させて試験を続けたい場合、電源プラグ１２を交流電源より取り外して映像記録再生装置２０を移動させなければならない。
【００５９】
そして、電源プラグ１２を交流電源より取り外すとマイクロコンピュータ７の動作を停止させることになるので、マイクロコンピュータ７によって計数された、映像等の再生を開始してから現在までの時間のデータが失われる。
【００６０】
そして、映像記録再生装置２０を移動させて映像等の再生を再び開始すると、マイクロコンピュータ７は、映像等の再生を再び開始してからの計数された時間のデータのみ保有し、映像等の再生を実際に行った全ての時間のデータを保有していない。そのため、耐久試験の結果を評価するための正確なデータを取得することができない。
【００６１】
ここで、補助電源３０を映像記録再生装置２０に接続すると、電源プラグ１２を交流電源より取り外しても、マイクロコンピュータ７に動作電圧を供給し、マイクロコンピュータ７を停止させることなく継続して動作させることができる。
【００６２】
これにより、これまでにマイクロコンピュータ７によって計数された時間のデータを失うことなく、映像記録再生装置２０を移動させた後に映像等の再生を行った時間を継続して計数することができる。
【００６３】
これにより、マイクロコンピュータ７は、映像等の再生を実際に行った全ての時間のデータを保有することができ、耐久試験の結果を評価するための正確なデータを取得することができる。
【００６４】
また、映像記録再生装置２０及び補助電源３０を以下のように使用することもできる。映像記録再生装置２０を動作させている最中に雷が発生した場合に、映像記録再生装置２０に補助電源３０を接続する。
【００６５】
これにより、落雷によって交流電源が停止した場合でも、補助電源３０によりマイクロコンピュータ７を動作させることができるので、映像記録再生装置２０を管理するための重要なデータを失うことを防ぐことができる。
【００６６】
以上の映像記録再生装置２０について、外部信号端子５及び信号ライン２は、一組設けられるものでもよく、複数組設けられるものでもよい。そして、外部信号端子５及び信号ライン２が複数組設けられる場合に、上記バックアップ回路１をいずれか一つの信号ライン２に対して設けてもよく、複数の信号ライン２に対して設けてもよい。
【００６７】
映像記録再生装置２０が外部信号端子５及び信号ライン２が複数設けられるものである場合に、複数の信号ライン２に対してバックアップ回路１を設けると、補助電源３０を接続するための外部信号端子５を複数の中から選択することができる。
【００６８】
これにより、複数の外部信号端子５の中に本来の信号の伝送に用いたいものがある場合に、信号の伝送に使用する必要のないその他の外部信号端子５を補助電源３０の接続に用いることができる。
【００６９】
また、以上の説明では、映像記録再生装置２０について、信号が入力される例を挙げて説明した。即ち、外部信号端子５に信号が入力され、外部信号端子５より信号ライン２を通って信号処理回路６に信号が入力される例により説明した。
【００７０】
本発明を実施するにあたり、信号処理装置は、信号を出力するものであってもよい。即ち、信号処理装置は、信号処理回路より出力された信号が信号ラインを伝送され、外部信号端子より信号を出力するものであってもよい。信号処理装置が外部に信号を出力するものであっても、制御用コンピュータに直流電圧を供給する電源ラインと信号ラインとの間にバックアップ回路を設けることにより、本発明を実施することができる。
【００７１】
また、本発明を実施するにあたり、信号処理装置は、信号を入力又は出力するのみならず、信号の入力と出力の双方を行うものであってもよい。即ち、外部信号端子及び信号ラインが、信号の入力及び出力の双方に用いられるものであってもよい。また、信号処理装置は、信号を入力する端子と信号を出力する端子の各々が設けられるものであってもよい。
【００７２】
このように、信号の入出力を行う信号処理装置についても、制御用コンピュータに直流電圧を供給する電源ラインと信号ラインとの間にバックアップ回路を設けることにより、本発明を実施することができる。
【００７３】
また、以上の説明では、映像記録再生装置２０の例により説明したが、信号処理装置は映像信号等のオーディオ信号を処理する装置に限られない。例えば、信号処理装置は、計測器より出力された計測信号等を処理するものであってもよい。
【００７４】
即ち、信号処理装置は、処理する信号の種類を問わず、外部信号端子による信号の入出力が可能であり、信号処理回路によって信号を処理するとともに、制御用コンピュータによって制御されるものであればよい。
【００７５】
また、以上の映像記録再生装置２０に基づく説明では、制御用コンピュータの例としてマイクロコンピュータの例を挙げた。本発明を実施するにあたり、制御用コンピュータはマイクロコンピュータに限られない。即ち、制御用コンピュータは、一定の直流電圧を供給することによって動作するコンピュータであればよく、演算速度やメモリのサイズ等により限定されない。
【００７６】
【発明の効果】
以上に説明したように、本発明によると、信号処理装置の電源が停止した場合でも、制御用コンピュータに動作電圧を供給することができ、制御用コンピュータを続けて動作させることができる。これにより、制御用コンピュータが信号処理装置を管理する上で必要なデータを失うことを防ぐことができる。
【００７７】
そして、本発明によると、信号処理装置にバックアップ用電源やバックアップ用メモリを設ける必要がないので、信号処理装置の製造を簡易にできるとともに、信号処理装置をコンパクトにすることができる。
【図面の簡単な説明】
【図１】本発明の一実施形態である映像記録再生装置のブロック図である。
【図２】本発明の一実施形態である補助電源を示す図である。
【図３】図２に示される補助電源を図１に示される映像記録再生装置に接続する状況を示す図である。
【符号の説明】
１　　　バックアップ回路
２　　　信号ライン
３　　　電源ライン
５　　外部信号端子
６　　　信号処理回路
６ａ　（信号入力用）端子
７　　制御用コンピュータ
７ａ　交流電源検知端子
７ｂ　接地端子
７ｃ　動作電圧端子
８　　抵抗
９　　コンデンサ
１０　　抵抗
１１　　停電・復電検知ユニット
１２　　電源プラグ
１４　　電力変換器
１５　　ダイオード
１６　　コンデンサ
１７　　抵抗
１８　　ダイオード
【図１】
2004133571.tif 000003
【図２】
2004133571.tif 000004
【図３】
2004133571.tif 000005